(57)【要約】【課題】従来と比較して蓋体を確実に係止することの可能な電動工具収納ケースを提供する。【解決手段】  第１のケースと、前記第１のケースに設けられ、前方に突出する一対のハンドルベース部と、前記ハンドルベース部に回動可能に連結される両端部を持つハンドルと、前記第１のケースの上方に前記第１のケースに対して回動可能な第２のケースと、を備え、前記第２のケースは、前記ハンドルベース部と連なる凸部を有し、前記両端部の幅方向内において、前記ハンドルベース部と前記凸部を上下に貫く貫通穴が設けられている。【選択図】図１
2019181694.tif 000002
【特許請求の範囲】
【請求項１】
第１のケースと、
前記第１のケースに設けられ、前方に突出する一対のハンドルベース部と、
前記ハンドルベース部に回動可能に連結される両端部を持つハンドルと、
前記第１のケースの上方において前記第１のケースに対して回動可能な第２のケースと、を備え、
前記第２のケースは、前記ハンドルベース部と連なる凸部を有し、前記ハンドル端部の幅方向内において、前記ハンドルベース部と前記凸部を上下に貫く貫通穴が設けられている、電動工具収納ケース。
【請求項２】
前記第１のケースに対する前記第２のケースの回動を規制する第１のロック部材を、前記ハンドルベース部及び前記ハンドルが設けられる前記電動工具収容ケースの同一面に設けた、請求項１に記載の電動工具収容ケース。
【請求項３】
前記第２のケースの上方において、前記第２のケースに対して回動可能な蓋体を有する、請求項２に記載の電動工具収容ケース。
【請求項４】
前記第２のケースに対する前記蓋体の回動を規制する第２のロック部材を有する、請求項３に記載の電動工具収容ケース
【請求項５】
前記第１のロック部材と前記第２のロック部材とは、夫々独立して操作可能である請求項４に記載の電動工具収容ケース。
【発明の詳細な説明】
【技術分野】
【０００１】
本発明は、携帯用電動工具を収納する電動工具収納ケースに関する。
【背景技術】
【０００２】
電動工具収納ケースは、例えば下記特許文献１に示されるように、収納側ケースの上方に蓋側ケースを回動可能に支持し、蓋側ケース上に蓋体（カバー）を回動可能に支持した構成を有する。収納側ケースと蓋側ケースによって形成される空間には電動工具や充電器が収納可能で、蓋側ケースと蓋体によって形成される空間には先端工具等の小物が収納可能である。収納側ケースに対する蓋側ケースの回動、及び蓋側ケースに対する蓋体の回動は、それぞれラッチによって係止可能である。
【先行技術文献】
【特許文献】
【０００３】
【特許文献１】特開２０１０−６４２２７号公報
【発明の概要】
【発明が解決しようとする課題】
【０００４】
本発明の目的は、ケースの開閉ができないように施錠可能なケース間を貫く貫通穴を設けた好適な電動工具収納ケースを提供することにある。
【０００５】
本発明の第１の態様は、第１のケースと、
前記第１のケースに設けられ、前方に突出する一対のハンドルベース部と、
前記ハンドルベース部に回動可能に連結される両端部を持つハンドルと、
前記第１のケースの上方に前記第１のケースに対して回動可能な第２のケースと、を備え、
前記第２のケースは、前記ハンドルベース部と連なる凸部を有し、前記両端部の幅方向内において、前記ハンドルベース部と前記凸部を上下に貫く貫通穴が設けられている、電動工具収納ケース。
【０００６】
なお、以上の構成要素の任意の組合せ、本発明の表現を方法やシステムなどの間で変換したものもまた、本発明の態様として有効である。
【発明の効果】
【０００７】
本発明によれば、ケースの開閉ができないように施錠可能な電動工具収納ケースを提供することができる。
【図面の簡単な説明】
【０００８】
【図１】本発明の実施の形態に係る電動工具収納ケース１の上方斜視図。
【図２】同下方斜視図。
【図３】中央ラッチ５０を解除する途中の電動工具収納ケース１の上方斜視図。
【図４】同下方斜視図。
【図５】中央ラッチ５０を解除した状態の電動工具収納ケース１の上方斜視図。
【図６】同下方斜視図。
【図７】背後から見た電動工具収納ケース１の上方斜視図。
【図８】同下方斜視図。
【図９】電動工具収納ケース１の正面図。
【図１０】中央ラッチ５０を解除した状態の電動工具収納ケース１の正面図。
【図１１】電動工具収納ケース１の平面図。
【図１２】電動工具収納ケース１の底面図。
【図１３】図９のＡ−Ａ断面図。
【図１４】図１３と同じ切断面で中央ラッチ５０を解除する途中を示した断面図。
【図１５】図１３と同じ切断面で中央ラッチ５０を解除した状態を示した断面図。
【図１６】図９のＢ−Ｂ断面図。
【図１７】図１１のＣ−Ｃ断面図。
【図１８】図１７の要部拡大図。
【図１９】図５の中央ラッチ５０の近傍の拡大図。
【図２０】蓋側ケース２０のＬ字状収納部２９にアングルビットアダプタ９１を収納し且つ蓋体３０を開けた状態の電動工具収納ケース１の斜視図。
【図２１】蓋側ケース２０のＬ字状収納部２９にフレキシブルビットアダプタ９２を曲げて収納し且つ蓋体３０を開けた状態の電動工具収納ケース１の斜視図。
【図２２】蓋側ケース２０のＬ字状収納部２９にフレキシブルビットアダプタ９２を真っ直ぐに収納し且つ蓋体３０を開けた状態の電動工具収納ケース１の斜視図。
【図２３】蓋側ケース２０を開けた状態の電動工具収納ケース１の斜視図。
【図２４】メインケース１０、蓋側ケース２０、及び蓋体３０を互いに異なる角度に回動させた状態の電動工具収納ケース１の斜視図。
【発明を実施するための形態】
【０００９】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１０】
本実施の形態では、前後、上下、左右の各方向を、図１により定義する。本実施の形態の電動工具収納ケース１は、第１のケースとしてのメインケース１０と、第２のケースとしての蓋側ケース（サブケース）２０と、蓋体３０と、第１のロック部材としての一対の側部ラッチ４０と、第２のロック部材としての中央ラッチ５０と、ハンドル６０と、を備える。
【００１１】
メインケース１０は、例えば樹脂製であり、図２３に現れる内部空間（第１の収納部）には、電動工具本体や電池パック、充電器等をそれぞれ収納可能である。図２に示すように、メインケース１０は、底面部１１と、底面部１１から立ち上がる外壁部１２と、を有する。底面部１１の４つの角部近傍には、スタッキング用凸部１１ａがそれぞれ設けられる。図１に示すように、メインケース１０は、前面の両端部にそれぞれベルト穴１９を有する。一対のベルト穴１９は、上方から見て蓋体３０によって隠れている（図１１）。
【００１２】
蓋側ケース２０は、例えば樹脂製であり、図２０〜図２２に現れる内部空間（第２の収納部）には、各種小物を収納可能である。蓋側ケース２０には、好ましくは図２０〜図２２に示すようにＬ字状収納部２９が設けられる。これにより、図２０に示すようにＬ型のアングルビットアダプタ９１をＬ字状収納部２９に収納したり、図２１に示すように長尺のフレキシブルビットアダプタ９２を曲げてＬ字状収納部２９に収納したりすることができる。図２１に示すように、Ｌ字状収納部２９の角部２９ａは、好ましくは凹んで深くなっている。これにより、図２０に示すように、Ｌ字の角部に高さがあるアングルビットアダプタ９１を収納するのに必要な深さを好適に確保できる。更に、蓋側ケース２０には、図２０に示すように、例えば左右寸法１１３ｍｍ、前後寸法９３ｍｍ、上下寸法３１ｍｍ以上の中央収納部９６が設けられる。これにより長さ１１３ｍｍ、幅φ３１ｍｍのちょい曲げソケット９３を３本収納可能である。更に、蓋側ケース２０には、例えば左右寸法１１０ｍｍ、前後寸法８３ｍｍ以上の中央前収納部９７設けられる。これにより長さ１１０ｍｍ、横幅８３ｍｍのケース付き１０本ビットセット９４を収納可能である。左側収納部９５やＬ字状収納部２９以外の収納部を追加して、蓋側ケース２０の中央付近にも大きな容量を持つ収納部を複数設けることにより利便性を向上することができる。
【００１３】
蓋側ケース２０は、メインケース１０の上方に回動可能に設けられる。具体的には、蓋側ケース２０は、後部において図７、図８及び図１６に示す第１のヒンジ部（第１の回動支持部）７０によってメインケース１０に回動可能に連結され、メインケース１０に対する蓋としても機能する。図１８に示すように、蓋側ケース２０の外壁部２２の下端部は、メインケース１０の外壁部１２の上端面に形成された凹溝１３内に入り込み、凹溝１３とインロー構造を成している。すなわち、インロー構造とは複数の部材に設けられたそれぞれの凹凸部が互いに嵌り合う構造を意味している。
【００１４】
蓋体３０は、例えば樹脂製であり、蓋側ケース２０の上方に回動可能に設けられる。具体的には、蓋体３０は、後部において図７、図８及び図１６に示す一対の第２のヒンジ部（第２の回動支持部）８０によって蓋側ケース２０に回動可能に連結され、蓋側ケース２０に対する蓋として機能する。蓋体３０は、上面部３１と、上面部３１から下方に延びて電動工具収納ケース１の側方に露出した外壁部３２と、を有する。図１に示すように、上面部３１の４つの角部近傍には、上面部３１の縁から離間したスタッキング用凹部３１ａがそれぞれ設けられる。複数の電動工具収納ケース１を積み重ねる際には、メインケース１０の底面部１１に設けられたスタッキング用凸部１１ａを、蓋体３０の上面部３１に設けられたスタッキング用凹部３１ａに嵌める。
【００１５】
図１８に示すように、蓋体３０の外壁部３２は、蓋側ケース２０の外壁部２２と側壁部２８との間に延び、外壁部２２及び側壁部２８とインロー構造（第１のインロー構造）を成している。すなわち、外壁部３２が外壁部２２と側壁部２８との間に位置し、外壁部３２の先端部が外壁部２２と側壁部２８とで形成された凹溝に入り込むように構成している。蓋体３０は、外壁部３２の内側に凸条部３３を有する。凸条部３３は、蓋側ケース２０の側壁部２８の上部に設けられた凹溝２８ａ内に入り込み、凹溝２８ａとインロー構造（第２のインロー構造）を成している。図１６に示すように、蓋体３０の外壁部３２は、側部ラッチ４０と蓋側ケース２０の側壁部２８との間に延在する。
【００１６】
図７及び図８に示すように、第１のヒンジ部７０及び第２のヒンジ部８０は、横方向に関して略同一位置に設けられる。図１１及び図１２に示すように、メインケース１０及び蓋側ケース２０は、対をなす回動支持部間が外側（後方）に広がっていて、収納容量が増加されている。
【００１７】
ハンドル６０は、例えば樹脂性であってコの字ないしＵ字状に形成され、メインケース１０の前方に回動可能に支持される。具体的には、メインケース１０の前面（前方に臨む外壁部１２）には一対のハンドルベース部１６が突設され（前方に突出するように設けられ）、この一対のハンドルベース部１６にハンドル６０の両端部がそれぞれ不図示の連結ピンによって回動可能に連結される。各ハンドルベース部１６からは、ハンドル保護用リブ１７が下方に延長して設けられ、図１に示すように寝かせた状態のハンドル６０の両外側面を保護する。
【００１８】
一対の側部ラッチ４０は、例えば樹脂性かつ互いに同一構成であってハンドル６０の両側に分かれて設けられ、メインケース１０に対する蓋側ケース２０の回動を規制する（蓋側ケース２０をメインケース１０に対して回動不能にロックする）。側部ラッチ４０は、本体部４１及び操作部４２を含む。操作部４２は、図１６に示す支点ピン（連結ピン）４３によってメインケース１０に回動可能に支持される。具体的には、メインケース１０の前面には一対の側部ラッチ支持部（第１のロック支持部）１５が突設され（前方に突出するように設けられ）、各々の側部ラッチ支持部１５に支持された支点ピン４３（図１６）が、各々の側部ラッチ４０の操作部４２をメインケース１０に回動可能に連結する。
【００１９】
側部ラッチ４０の本体部４１は、図１６に示すように上部に係止部（係止凸部）４１ａを有し、係止部４１ａが蓋側ケース２０の前面上部に設けられた係止部（係止凸部）２３と係合する（係止部２３をクランプする）ことで、メインケース１０に対する蓋側ケース２０の回動が規制される。本体部４１は、下部において図１６に示す作用点ピン（連結ピン）４４によって操作部４２に回動可能に連結される。
【００２０】
側部ラッチ４０による回動規制を解除するには、支点ピン４３を支点にして操作部４２を上方（図１６の時計回り方向）に回動させ、作用点ピン４４と共に本体部４１を上方に持ち上げて係止部４１ａと蓋側ケース２０の係止部２３との係合を解除し、本体部４１を下方（図１６の反時計回り方向）に回動させればよい。側部ラッチ４０による回動規制を有効化するには、支点ピン４３を支点にして操作部４２を上方に回動させ、本体部４１の係止部４１ａを蓋側ケース２０の係止部２３に係合させ（引っ掛け）、操作部４２を下方に回動させればよい。
【００２１】
中央ラッチ５０は、例えば樹脂性であり、蓋側ケース２０に対する蓋体３０の回動を規制する（蓋体３０を蓋側ケース２０に対して回動不能にロックする）。中央ラッチ５０は、横方向に関して一対のハンドルベース部１６の相互対向面間に位置する。中央ラッチ５０の横幅は、前記相互対向面間の距離の３０％以上、あるいは４０ｍｍ以上という二条件の少なくともいずれかを満たす。中央ラッチ５０の横幅は、図示の例では前記相互対向面間の距離と同等ないしそれより僅かに小さい程度まで大きく確保されている。
【００２２】
中央ラッチ５０は、本体部５１及び操作部５２を含む。操作部５２は、コの字ないしＵ字状に形成され、図１３に示す支点ピン（連結ピン）５３によって蓋側ケース２０に回動可能に支持される。具体的には、蓋側ケース２０の前面（前方に臨む外壁部２２）には一対の中央ラッチ支持部（第２のロック支持部）２５が突設され（前方に突出するように設けられ）、各々の中央ラッチ支持部２５に支持された支点ピン５３（図１３）が、中央ラッチ５０の操作部５２の両端部をそれぞれ蓋側ケース２０に回動可能に連結する。
【００２３】
中央ラッチ５０の本体部５１は、前方視で図９に示すようにＴ字状に形成され、図５及び図１９に示すように上辺部に２つの係止部（係止凸部）５１ａを有する。２つの係止部５１ａは、好ましくは本体部５１の上辺部の左右両端部近傍にそれぞれ設けられる。図１３に示すように、中央ラッチ５０の本体部５１の係止部５１ａが、蓋体３０の前面上部に設けられた２つの係止部（係止凸部）３８とそれぞれ係合する（係止部３８をクランプする）ことで、蓋側ケース２０に対する蓋体３０の回動が規制される。本体部５１は、操作部５２のコの字ないしＵ字の内側に延在した下部（Ｔ字の先端部）において図１３に示す作用点ピン（連結ピン）５４によって操作部５２に回動可能に連結される。
【００２４】
中央ラッチ５０による回動規制を解除するには、図１３の状態（回動規制有効状態）から支点ピン５３を支点にして操作部５２を上方（図１３の時計回り方向）に回動させ、図１４に示すように作用点ピン５４と共に本体部５１を上方に持ち上げて２つの係止部５１ａと蓋体３０の２つの係止部３８との係合を一括して解除し、図１５に示すように本体部５１を下方（図１３の反時計回り方向）に回動させればよい。中央ラッチ５０による回動規制を有効化するには、図１５の状態（回動規制解除状態）から支点ピン５３を支点にして操作部５２を上方に回動させ（図１４）、図１３に示すように本体部５１の２つの係止部５１ａを蓋体３０の２つの係止部３８に一括して係合させ（引っ掛け）て操作部５２を下方に回動させればよい。
【００２５】
図１及び図５から明らかなように、蓋体３０は、回動規制有効状態の中央ラッチ５０の本体部５１の背後となる位置に把手部３４を有する。把手部３４は、蓋体３０の前面の凹部３６内に設けられたコの字ないしＵ字状の凸部である。なお、蓋体３０の前述の２つの係止部３８は、把手部３４の左右両肩部にそれぞれ設けられている。把手部３４のコの字ないしＵ字状の内側は指入れスペース３７であり、図５に示す回動規制解除状態（中央ラッチ５０の本体部５１が下方に回動した状態）では、指入れスペース３７に指を入れ把手部３４を利用して蓋体３０を蓋側ケース２０に対して上方に回動可能である（図２０〜図２２）。一対の中央ラッチ支持部２５は、それぞれ把手部３４と連なるように設けられ、中央ラッチ支持部２５同士の間の空間も指入れスペース３７として利用できる（図５）。把手部３４の指入れスペース３７に臨む下面（指の引っ掛け部）には、多数の凹凸が形成され、指が滑りにくくなっていると共に、指入れスペース３７を分かり易くしている。
【００２６】
図１９に示すように、蓋側ケース２０は、中央ラッチ５０の操作部５２の回動下限位置を定めるストッパ部２４を有する。ストッパ部２４は、蓋側ケース２０の前面の２つの中央ラッチ支持部２５の各両側にそれぞれ設けられた合計４つの凸部である（図１９には中央ラッチ支持部２５の左側にあるストッパ部２４のみが現れる）。操作部５２は、ストッパ部２４と係合（当接）した回動下限位置にあるとき、蓋側ケース２０をメインケース１０に対して回動させる際（特に蓋側ケース２０を閉じる際）にメインケース１０と干渉しない。中央ラッチ５０の本体部５１の回動下限位置は、図６に示すように操作部５２との係合（当接）によって定められる。
【００２７】
２つの側部ラッチ支持部１５及び中央ラッチ支持部２５は、相互に略等しい前後方向位置に設けられ、図１１に示すように、２つの側部ラッチ４０及び中央ラッチ５０は、相互に略等しい前後方向位置に存在する。
【００２８】
蓋側ケース２０は、メインケース１０の一対のハンドルベース部１６とそれぞれ連なる一対の凸部２６を前面に有し、右側のハンドルベース部１６と凸部２６を上下に貫くように施錠用穴（鍵穴）２７が設けられている。
【００２９】
本実施の形態によれば、下記の効果を奏することができる。
(1) 中央ラッチ５０は、横幅が一対のハンドルベース部１６の相互対向面間の距離の３０％以上又は４０ｍｍ以上という二条件の少なくともいずれかを満たす大型のものであるため、従来と比較して蓋側ケース２０に対して蓋体３０を強い係止力で確実に回動規制でき、蓋体３０が蓋側ケース２０から外れにくい。
(2) 中央ラッチ５０の本体部５１は、幅方向両端部近傍にそれぞれ係止部５１ａを有し、蓋体３０の２つの係止部３８と係合するため、係止力を幅広く効かせることができる。
(3) 中央ラッチ５０は、本体部５１の２つの係止部５１ａによる係止、解除（蓋体３０の２つの係止部３８との係合及びその解除）を操作部５２により一括して切替可能なため、中央ラッチ５０による回動規制の有効、解除の切替が一操作で済み、蓋体３０の開閉が行いやすい。
(4) 蓋体３０は、回動規制有効状態の中央ラッチ５０の本体部５１の背後となる位置に把手部３４を有し、回動規制解除状態では把手部３４を利用して蓋体３０を蓋側ケース２０に対して上方に回動可能なため、蓋体３０を開ける操作性が良い。このとき、把手部３４のコの字ないしＵ字状の内側は指入れスペース３７であり、回動規制解除状態では、指入れスペース３７に指を入れ把手部３４に指を引っ掛けることができ、把手部３４にアクセスしやすい。また、一対の中央ラッチ支持部２５の間の空間も指入れスペース３７として利用でき、指を確実に入れるための広いスペースを確保できる。さらに、把手部３４の指入れスペース３７に臨む下面（指の引っ掛け部）は、多数の凹凸（ギザギザ形状）により滑りにくくなっているため、把手部３４のグリップ性が良好となると共に、指入れスペース３７を分かり易くしている。
(5) 蓋側ケース２０は、中央ラッチ５０の操作部５２の回動下限位置を定めるストッパ部２４を有し、ストッパ部２４により操作部５２の回動下限位置は、蓋側ケース２０の開閉時にメインケース１０と干渉しないように定められるため、蓋側ケース２０の開閉を引っ掛かり無くスムーズに行えて操作性が良い。
(6) ２つの側部ラッチ支持部１５及び中央ラッチ支持部２５は、相互に略等しい前後方向位置に設けられるため、中央ラッチ支持部２５が側部ラッチ支持部１５より後方に位置する場合と比較して収納容量を大きく確保できる。
(7) 第１のヒンジ部７０及び第２のヒンジ部８０は、横方向に関して略同一位置に設けられ、メインケース１０及び蓋側ケース２０は、対をなす回動支持部間が外側（後方）に広がっているため、収納容量を大きく確保できる。
(8) 蓋側ケース２０の前面右側の凸部２６と右側のハンドルベース部１６を上下に貫くように施錠用穴２７が設けられるため、一対のハンドルベース部１６の間には施錠用穴２７を設けるスペースが不要となり、中央ラッチ５０の横幅を一対のハンドルベース部１６の間で最大限に広くすることができる。
(9) 蓋体３０が側方に露出した外壁部３２を有するため、蓋体３０の強度が高められると共に、蓋体３０に手を掛けて蓋体３０を開けやすく、また蓋側ケース２０の収納容量を増やすことができる。更に、外壁部３２が蓋側ケース２０の側壁部２８とインロー構造を成すため、防水性が高い。更に、蓋体３０が上方から見てベルト穴１９を隠すため、デザイン性が高い。
(10) 蓋体３０の凸条部３３と蓋側ケース２０の凹溝２８ａとがインロー構造を成し、蓋体３０の外壁部３２と蓋側ケース２０の側壁部２８とのインロー構造と合わせて二重インロー構造となっているため、防水性が高い。
(11) 蓋側ケース２０にＬ字状収納部２９が設けられているため、Ｌ字形状のアングルビットアダプタ９１や長尺のフレキシブルビットアダプタ９２を好適に収納可能となる。また、Ｌ字状収納部２９の角部２９ａが深くなっているため、Ｌ字の角部に高さがあるアングルビットアダプタ９１を収納するのに必要な深さを好適に確保できる。更に、蓋側ケース２０に中央収納部９６が設けられているため、ちょい曲げソケット９３を３本、好適に収納可能となる。加えて、蓋側ケース２０に中央前収納部９７が設けられているため、ケース付き１０本ビットセット９４を好適に収納可能となる。また、左側収納部９５やＬ字状収納部２９以外の収納部を追加することで、蓋側ケース２０の中央付近にも大きな容量を持つ収納部を複数設けることにより利便性を向上することできる。
(12) 蓋体３０の上面部３１にスタッキング用凹部３１ａが設けられ、各スタッキング用凹部３１ａが上面部３１の縁から離間しているため、水がケース内に入りにくく、防水性が高い。
【００３０】
以上、実施の形態を例に本発明を説明したが、実施の形態の各構成要素や各処理プロセスには請求項に記載の範囲で種々の変形が可能であることは当業者に理解されるところである。
【符号の説明】
【００３１】
１  電動工具収納ケース、１０  メインケース（第１のケース）、１１  底面部、１１ａ  スタッキング用凸部、１２  外壁部、１５  側部ラッチ支持部（第１のロック支持部）、１６  ハンドルベース部、１７  ハンドル保護用リブ、１９  ベルト穴、２０  蓋側ケース（第２のケース）、２２  外壁部、２３  係止部（係止凸部）、２４  ストッパ部、２５  中央ラッチ支持部（第２のロック支持部）、２６  凸部、２７  施錠用穴、２８  側壁部、２８ａ  凹溝、２９  Ｌ字状収納部、２９ａ  角部、３０  蓋体、３１  上面部、３１ａ  スタッキング用凹部、３２  外壁部、３３  凸条部、３４  把手部、３６  凹部、３７  指入れスペース、３８  係止部（係止凸部）、４０  側部ラッチ（第１のロック部材）、４１  本体部、４１ａ  係止部、４２  操作部、４３  支点ピン（連結ピン）、４４  作用点ピン（連結ピン）、５０  中央ラッチ（第２のロック部材）、５１  本体部、５１ａ  係止部、５２  操作部、５３  支点ピン（連結ピン）、５４  作用点ピン（連結ピン）、６０  ハンドル、７０  第１のヒンジ部（第１の回動支持部）、８０  第２のヒンジ部（第２の回動支持部）、９１  アングルビットアダプタ、９２  フレキシブルビットアダプタ、９３  長さ１１３ｍｍ、幅φ３１ｍｍのちょい曲げソケット、９４  長さ１１０ｍｍ、横幅８３ｍｍのケース付き１０本ビットセット、９５  左側収納部、９６  中央収納部、９７  中央前収納部
【図１】
2019181694.tif 000003
【図２】
2019181694.tif 000004
【図３】
2019181694.tif 000005
【図４】
2019181694.tif 000006
【図５】
2019181694.tif 000007
【図６】
2019181694.tif 000008
【図７】
2019181694.tif 000009
【図８】
2019181694.tif 000010
【図９】
2019181694.tif 000011
【図１０】
2019181694.tif 000012
【図１１】
2019181694.tif 000013
【図１２】
2019181694.tif 000014
【図１３】
2019181694.tif 000015
【図１４】
2019181694.tif 000016
【図１５】
2019181694.tif 000017
【図１６】
2019181694.tif 000018
【図１７】
2019181694.tif 000019
【図１８】
2019181694.tif 000020
【図１９】
2019181694.tif 000021
【図２０】
2019181694.tif 000022
【図２１】
2019181694.tif 000023
【図２２】
2019181694.tif 000024
【図２３】
2019181694.tif 000025
【図２４】
2019181694.tif 000026